【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】容器の２つの向かい合った側壁の上部を折り畳んで該容器の上部（３）に横方向尾根構造（２）を形成し、それによって容器の上端を閉じるように形成した一端（３）を有し、尾根構造（２）は尾根構造の壁材の表面同士を接触接合することによって閉鎖位置に保持されて横方向尾根シール封止（２）を容器に形成し、容器はプルタブ（１０）を保持し、それによって分離力が尾根シール（２）の接合部の少なくとも一部を分離するようにその封止された容器（１）の尾根シール（２）に加えられ、それによって容器を開きその中味の排出を可能にする箱形端部容器（１）であって、
ａ．プルタブ（１０）は、ユーザーがつかんで引っ張るように適合された近位端部部分（１１）及び軸部部材（１２）の各側面に横方向に延びる脚部部材（１３）をもつ遠位端部部分との間に長手方向に延びる軸部部材（１２）を有する全体に平面の部材を含み、それによりプルタブが容器（１）に固定され、容器に固定されないときの自由状態における軸部部材（１２）及び脚部部材（１３）は実質的に互いに同一平面上にあり、
ｂ．プルタブ（１０）は、脚部部材（１３）により容器の尾根構造（２）内又はそれに隣接して容器（１）の外部表面に固定され、
ｃ．プルタブの軸部部材（１２）は、容器の開放中に軸部部材（１２）の近位端部（１１）にテンションが加えられた時点で脚部部材（１３）との関係においてそれを中心として軸部部材（１２）がたわむ１つの回転点（Ｄ）を有しており、この回転点（Ｄ）は、軸部部材（１２）と脚部部材（１３）の近位縁部の接合部と実質的に見当合せされた状態で軸部部材（１２）との関係において長手方向に位置設定され、そして、
ｄ．脚部部材（１３）は、軸部部材（１２）の軸方向の回りにほぼ対称に延び、そして長手方向に回転点（Ｄ）を超えて遠位に距離ｄのところ及び回転点（Ｄ）より手前で近位に距離ｄ’のところに延びており、ｄ：ｄ’の比が１０：１〜１：１０の値を有する固定部域をもつ固定手段（２０，３０又は４０）により容器（１）に固定される
ことを特徴とする容器。
【請求項２】前記容器（１）の壁に対する各々の脚部部材（１３）の固定手段（２０，３０又は４０）は、前記近位縁部（２０，３０又は４０）から前記回転点（Ｄ）まで延び、前記縁部（２０，３０又は４０）とその両端部の中間で交差するライン（Ｅ）に対し垂直にその少なくとも一部分が延びるように構成された回転点（Ｄ）に対し近位の縁部（２０，３０又は４０）を呈する固定手段によって行なわれる請求項１記載の容器。
【請求項３】前記脚部部材（１３）の固定手段は、一つ以上のヒートシールによって行なわれる請求項１又は２記載の容器。
【請求項４】前記ヒートシールは、ラインシールの形式である請求項３記載の容器。
【請求項５】前記脚部部材（１３）は、２つの側方に離隔された部分の固定部域によって容器（１）に固定され、少なくともそのような１つの域がプルタブ（１０）の軸部部材（１２）の長手方向軸の各側に存在し、固定された部分の間に中間の未固定部分が位置され、これにより、プルタブ（１０）は、ユーザーがそのプルタブ（１０）を引張った時点で前記中間の未固定部分と軸方向に見当合せされた状態にある尾根シール（２）の一部分に対して２つの相対する力を及ぼす請求項１〜４のいずれかに記載の容器。
【請求項６】前記脚部部材（１３）は、容器（１）の切妻端部（３）の切妻端部三角形の壁（Ｂ）に固定されている請求項１〜５のいずれかに記載の容器。
【請求項７】箱形端部容器（１）の製造において使用するのに適当なブランクにおいて、そのブランクは容器（１）を形成するために互いに折畳まれ固定されるように適合された一連の並立して連結されたパネル（Ａ）を含み、これらのパネルのうちの隣接しない２枚のパネルの終端部分は切妻端部壁（３）を形成するように適合されているとともに、他のパネルの終端部分は組立てられた容器（１）の横方向尾根構造（２）を形成し、そのブランクはパネル（Ａ）の少なくとも一つに固定されたプルタブ（１０）を有するものであって、
ａ．プルタブ（１０）は、ユーザーがつかんで引っ張るように適合された近位端部部分（１１）及び軸部部材（１２）の各側面に横方向に延びる脚部部材（１３）をもつ遠位端部部分との間に長手方向に延びる軸部部材（１２）を有する全体に平面の部材を含み、それによりプルタブ（１０）がパネル（Ａ）に固定され、自由状態における軸部部材（１２）及び脚部部材（１３）は実質的に互いに同一平面上にあり、
ｂ．プルタブ（１０）は、脚部部材（１３）によりブランクから組み立てられる容器（１）の横方向尾根構造（２）を形成できるパネル（Ａ）の上又はその部分に隣接してブランクのパネル（Ａ）の外部表面（Ｂ）に固定され、
ｃ．プルタブ（１０）の軸部部材（１２）は、容器（１）の開放中に軸部部材（１２）の近位端部（１１）にテンションが加えられた時点で脚部部材（１３）との関係においてそれを中心として軸部部材（１２）がたわむ１つの回転点（Ｄ）を有しており、この回転点（Ｄ）は、軸部部材（１２）と脚部部材（１３）の近位縁部の接合部と実質的に見当合せされた状態で軸部部材（１２）との関係において長手方向に位置設定され、そして、
ｄ．脚部部材（１３）は、軸部部材（１２）の軸方向の回りにほぼ対称に延び、そして長手方向に回転点（Ｄ）を超えて遠位に距離ｄのところ及び回転点（Ｄ）より手前で近位に距離ｄ’のところに延びており、ｄ：ｄ’の比が１０：１〜１：１０の値を有する固定部域をもつ固定手段（２０，３０又は４０）によりパネル（Ａ）の表面（Ｂ）に固定されることを特徴とするブランク。
【請求項８】前記プルタブ（１０）は、組み立てられた容器（１）の切妻端部（３）を形成するパネル（Ａ）のその部分に固定される請求項７記載のブランク。
【請求項９】請求項１記載の箱型端部容器（１）又は請求項７記載のブランク上で使用するのに適当なプルタブ（１０）において、プルタブ（１０）は、ユーザーがつかんで引っ張るように適合された近位端部部分（１１）と、プルタブ（１０）が容器（１）又は容器（１）の製造において使用するブランクの壁（Ｂ）に固定される遠位端部部分との間に長手方向に延びる軸部部材（１２）を有する全体に平面の部材を含むものであって、
ａ．遠位端部部分は、軸部部材（１２）の各側面に横方向に延びる脚部部材（１３）をもち、それによりプルタブ（１０）が容器（１）又はブランクに固定され、軸部部材（１２）及び脚部部材（１３）は実質的に互いに同一平面上にあり、
ｂ．プルタブ（１０）の軸部部材（１２）は、容器（１）の開放中に軸部部材（１２）の近位端部（１１）にテンションが加えられた時点で脚部部材（１３）との関係においてそれを中心として軸部部材（１２）がたわむ１つの回転点（Ｄ）を有しており、この回転点（Ｄ）は、軸部部材（１２）と脚部部材（１３）の近位縁部の接合部と実質的に見当合せされた状態で軸部部材（１２）との関係において長手方向に位置設定され、そして、
ｃ．脚部部材（１３）は、軸部部材（１２）の軸方向の回りにほぼ対称に延び、そして長手方向に回転点（Ｄ）を超えて遠位に距離ｄのところ及び回転点（Ｄ）より手前で近位に距離ｄ’のところに延びており、ｄ：ｄ’の比が１０：１〜１：１０の値を有するプルタブ。
【請求項１０】前記脚部部材（１３）の近位縁部と軸部部材（１２）の長手方向軸との間の開先角度は、１５〜８０°である請求項９記載のプルタブ（１０）。
【請求項１１】前記プルタブ（１０）は、２つの重合体材料の積層品から作られ、そのうちの１つの材料はもう一方の材料の融点よりも少なくとも４０℃高い溶融温度を有する請求項９又は１０記載のプルタブ（１０）。
【請求項１２】前記プルタブ（１０）は、ポリエステル及びポリエチレンの積層品から作られている請求項９記載のプルタブ（１０）。
【請求項１３】請求項１〜６のいずれかに記載の箱形端部の開放可能な容器（１）を開放するための方法において、尾根シール（２，Ｕ）の一端部で乾燥壁（Ｗ）の接触面の間のボンドを分離するか又は尾根シール（２，Ｗ、Ｕ）の端部（Ｗ）を偏向させて、弓形又はＴ字又はＹ字形の構成をもつ尾根シールを形成し、及び尾根シール（２）内の湿潤壁（１５）の接触面の間のボンドを分離するようにプルタブ（１０）の近位端部（１１）に対しテンションを加えることを含む方法。
【請求項１４】前記尾根シール（２）内の湿潤壁（１５）のボンドは、最初に、Ｔ字又はＹ字構成のシール（２）の直立部分（Ｕ）と頭（Ｗ）の交差点（Ｘ）において分離される請求項１３記載の方法。
【請求項１５】前記方法は、逆Ｙ字構成をもつ尾根シール（Ｗ、Ｕ）を形成するためにプルタブ（１０）に隣接する容器の尾根シール（２）の端部において乾燥壁（Ｗ）の間のシールを分離し、及び逆Ｙ字形の頭（Ｗ）において尾根シールの湿潤壁（１５）の間のシールを分離するようにプルタブ（１０）の近位端部（１１）に対しテンションを加えることを含む請求項１３記載の方法。
【請求項１６】前記Ｙ字形の頭（Ｗ）のアームは、互いに１２０〜１８０°傾斜している請求項１５記載の方法。